(57)【要約】【課題】この発明は、簡易な構成でＹ軸横方向ミスコンバージェンスＹＨを実用上十分なレベルにまで補正することを可能とした偏向ヨーク装置を提供することと、上記した偏向ヨーク装置を用いて画質の向上を図るようにした表示装置及びその制御方法を提供することとを目的としている。【解決手段】垂直偏向コイル１３に対して、Ｙ軸横方向ミスコンバージェンスＹＨを補正するために、画面上側に位置するＹＨコイル１４ａと画面下側に位置するＹＨコイル１５ａとが接続される。そして、ＹＨコイル１４ａの巻線導体径をＹＨコイル１５ａの巻線導体径よりも太く設定し、ＹＨコイル１４ａの巻数をＹＨコイル１５ａの巻数よりも少なく設定する。【選択図】    図２
2004200016.tif 000002
【特許請求の範囲】
【請求項１】
画面上における垂直横方向のミスコンバージェンスを補正するための第１及び第２のコイルに対し、前記第１のコイルの巻線導体径及び巻数と前記第２のコイルの巻線導体径及び巻数とを異なるように設定することを特徴とする偏向ヨーク装置。
【請求項２】
前記第１のコイルの巻線導体径を前記第２のコイルの巻線導体径よりも太く設定し、前記第１のコイルの巻数を前記第２のコイルの巻数よりも少なく設定することを特徴とする請求項１記載の偏向ヨーク装置。
【請求項３】
前記第１及び第２のコイルは、画面に対して上下方向に配置されることを特徴とする請求項１記載の偏向ヨーク装置。
【請求項４】
画面上における垂直縦方向のミスコンバージェンスを補正するための第３及び第４のコイルを備え、前記第１及び第３のコイルをその一方を下層とし他方を上層とするように同心的に重ね合わせて構成し、前記第２及び第４のコイルをその一方を下層とし他方を上層とするように同心的に重ね合わせて構成することを特徴とする請求項１記載の偏向ヨーク装置。
【請求項５】
画面上における垂直横方向のミスコンバージェンスを補正するための第１及び第２のコイルに対し、前記第１のコイルの巻線導体径及び巻数と前記第２のコイルの巻線導体径及び巻数とが異なるように設定された偏向ヨーク部により、電子ビームに偏向を与えてカラー映像を表示することを特徴とする表示装置。
【請求項６】
前記偏向ヨーク部は、テレビジョン信号から抽出した水平及び垂直の同期信号に基づいて、電子ビームに対して水平及び垂直方向に偏向を与えることを特徴とする請求項５記載の表示装置。
【請求項７】
テレビジョン放送を受信して所定のチャンネルのテレビジョン信号を選局する選局手段と、
この選局手段で選局されたテレビジョン信号の映像成分を復調して映像信号を得る映像処理手段と、
前記選局手段で選局されたテレビジョン信号の水平及び垂直の同期信号に基づいて、電子ビームに対して水平及び垂直方向に偏向を与えるための信号を生成する生成手段とを備え、
前記生成手段で生成された信号に基づいて前記偏向ヨーク部が電子ビームに対して水平及び垂直方向に偏向を与えることにより、前記映像処理手段で得られた映像信号を表示することを特徴とする請求項５記載の表示装置。
【請求項８】
前記偏向ヨーク部は、前記第１のコイルの巻線導体径が前記第２のコイルの巻線導体径よりも太く設定され、前記第１のコイルの巻数が前記第２のコイルの巻数よりも少なく設定されることを特徴とする請求項５記載の表示装置。
【請求項９】
前記偏向ヨーク部は、前記第１及び第２のコイルが画面に対して上下方向に配置されることを特徴とする請求項５記載の表示装置。
【請求項１０】
前記偏向ヨーク部は、画面上における垂直縦方向のミスコンバージェンスを補正するための第３及び第４のコイルを備え、前記第１及び第３のコイルをその一方を下層とし他方を上層とするように同心的に重ね合わせて構成し、前記第２及び第４のコイルをその一方を下層とし他方を上層とするように同心的に重ね合わせて構成することを特徴とする請求項５記載の表示装置。
【請求項１１】
画面上における垂直横方向のミスコンバージェンスを補正するための第１及び第２のコイルに対し、前記第１のコイルの巻線導体径及び巻数と前記第２のコイルの巻線導体径及び巻数とが異なるように設定された偏向ヨーク部により、電子ビームに偏向を与えてカラー映像を表示する表示装置において、
テレビジョン放送を受信して所定のチャンネルのテレビジョン信号を選局する工程と、
選局されたテレビジョン信号の映像成分を復調して映像信号を得る工程と、
選局されたテレビジョン信号の水平及び垂直の同期信号に基づいて、電子ビームに対して水平及び垂直方向に偏向を与えるための偏向信号を生成する工程とを備え、
前記偏向信号に基づいて前記偏向ヨーク部が電子ビームに対して水平及び垂直方向に偏向を与えることにより、前記映像信号を表示することを特徴とする表示装置の制御方法。
【発明の詳細な説明】
【０００１】
【発明の属する技術分野】
この発明は、例えばカラーテレビジョン受信機やカラーディスプレイ装置等の陰極線管に使用される偏向ヨーク装置の改良に関する。また、この発明は、上記の偏向ヨーク装置を用いた表示装置及びその制御方法に関する。
【０００２】
【従来の技術】
周知のように、首記の如き偏向ヨーク装置は、電子銃から発射される３原色に対応した各電子ビームＲ（Red），Ｇ（Green），Ｂ（Blue）に対して、水平方向及び垂直方向の偏向を加えることにより、各電子ビームＲ，Ｇ，Ｂが蛍光面上を一定の経路に沿って走査するように制御している。
【０００３】
この偏向ヨーク装置は、略喇叭状に形成されたセパレータを備え、その内側に設置された水平偏向コイルと、外側に設置された垂直偏向コイルとに、それぞれ水平及び垂直周期に同期した鋸歯状の偏向電流を流して磁界を発生させ、この磁界によって各電子ビームＲ，Ｇ，Ｂに偏向を与えている。
【０００４】
ところで、この種の偏向ヨーク装置においては、画面上で垂直方向をＹ軸とした場合、電子ビームＲ，ＢがＹ軸を挟んで横方向に位置ずれを生じるＹ軸（垂直）横方向ミスコンバージェンスＹＨ（Horizontal）と、電子ビームＲ，Ｂに対して電子ビームＧが縦方向に位置ずれを生じるＹ軸（垂直）縦方向ミスコンバージェンスＶＣＲ（Vertical Convergence Ratio）とが発生する。
【０００５】
このため、一般に、偏向ヨーク装置には、３種類の電子ビームＲ，Ｇ，Ｂの蛍光面上における位置ずれを補正するためにコマコイルが設けられる。このコマコイルとしては、Ｙ軸横方向ミスコンバージェンスＹＨを補正するためのＹＨコイルと、Ｙ軸縦方向ミスコンバージェンスＶＣＲを補正するためのＶＣＲコイルとがある。
【０００６】
しかしながら、実際には、垂直帰線期間にＹＨコイルに逆電流が誘導されることから、Ｙ軸横方向ミスコンバージェンスＹＨを実用上十分なレベルにまで補正することが困難になっており、その結果、画質の劣化を招いているという問題が生じている。
【０００７】
特許文献１として提示した特開平１１−１６７８８４号公報、特許文献２として提示した特開平７−１９３８３１号公報、特許文献３として提示した特開２００１−１０１９８３号公報、特許文献４として提示した特開２０００−４１２６４号公報には、Ｙ軸横方向ミスコンバージェンスＹＨを補正するための構成が開示されている。
【０００８】
ところが、これらの特許文献１乃至４には、いずれも、Ｙ軸横方向ミスコンバージェンスＹＨを補正するためのＹＨコイルに対して、垂直帰線期間に逆電流が誘導されることによる画質劣化に対処することについては、何らの記載もなされていないものである。
【０００９】
【特許文献１】
特開平１１−１６７８８４号公報
【００１０】
【特許文献２】
特開平７−１９３８３１号公報
【００１１】
【特許文献３】
特開２００１−１０１９８３号公報
【００１２】
【特許文献４】
特開２０００−４１２６４号公報
【００１３】
【発明が解決しようとする課題】
そこで、この発明は上記事情を考慮してなされたもので、簡易な構成でＹ軸横方向ミスコンバージェンスＹＨを実用上十分なレベルにまで補正することを可能とした偏向ヨーク装置を提供することを目的とする。また、この発明は、上記した偏向ヨーク装置を用いて画質の向上を図るようにした表示装置及びその制御方法を提供することを目的とする。
【００１４】
【課題を解決するための手段】
この発明に係る偏向ヨーク装置は、画面上における垂直横方向のミスコンバージェンスを補正するための第１及び第２のコイルに対し、第１のコイルの巻線導体径及び巻数と第２のコイルの巻線導体径及び巻数とを異なるように設定したものである。
【００１５】
また、この発明に係る表示装置は、画面上における垂直横方向のミスコンバージェンスを補正するための第１及び第２のコイルに対し、第１のコイルの巻線導体径及び巻数と第２のコイルの巻線導体径及び巻数とが異なるように設定された偏向ヨーク部により、電子ビームに偏向を与えてカラー映像を表示するようにしたものである。
【００１６】
さらに、この発明に係る表示装置の制御方法は、画面上における垂直横方向のミスコンバージェンスを補正するための第１及び第２のコイルに対し、第１のコイルの巻線導体径及び巻数と第２のコイルの巻線導体径及び巻数とが異なるように設定された偏向ヨーク部により、電子ビームに偏向を与えてカラー映像を表示する表示装置を対象としている。そして、テレビジョン放送を受信して所定のチャンネルのテレビジョン信号を選局する工程と、選局されたテレビジョン信号の映像成分を復調して映像信号を得る工程と、選局されたテレビジョン信号の水平及び垂直の同期信号に基づいて、電子ビームに対して水平及び垂直方向に偏向を与えるための偏向信号を生成する工程とを備え、偏向信号に基づいて偏向ヨーク部が電子ビームに対して水平及び垂直方向に偏向を与えることにより、映像信号を表示するようにしたものである。
【００１７】
上記のような構成及び方法によれば、画面上における垂直横方向のミスコンバージェンスを補正するための第１及び第２のコイルに対し、第１のコイルの巻線導体径及び巻数と第２のコイルの巻線導体径及び巻数とを異なるように設定するという簡易な構成で、Ｙ軸横方向ミスコンバージェンスＹＨを実用上十分なレベルにまで補正することが可能となる。
【００１８】
【発明の実施の形態】
以下、この発明の実施の形態について、図面を参照して詳細に説明する。図１は、この実施の形態で説明する偏向ヨーク部の外観を示している。すなわち、この偏向ヨーク部は、主として、略喇叭状に形成されたセパレータ１１と、このセパレータ１１の内側に設置された水平偏向コイル（図では見えない）と、セパレータ１１の外側でコア１２に直接巻線された垂直偏向コイル１３とから構成されている。
【００１９】
また、この偏向ヨーク部のセパレータ１１には、画面上で上下に対応する位置に一対のコマコイル１４，１５が設置されている。さらに、この偏向ヨーク装置のセパレータ１１には、水平偏向コイル、垂直偏向コイル１３及びコマコイル１４，１５を電気的に接続するとともに、これらのコイルに外部から電流を供給するための端子板１６が設置されている。
【００２０】
図２は、垂直偏向コイル１３及びコマコイル１４，１５の電気的接続状態の一例を示している。すなわち、垂直偏向コイル１３は、一対のコイル１３ａ，１３ｂを直列に接続したもので、その一端部が電源端子１７に接続され、その他端部がコマコイル１４，１５を構成するＹＨコイル１４ａ，１５ａの各一端部にそれぞれ接続されている。
【００２１】
また、上記ＹＨコイル１４ａの他端部は、図示極性のダイオードＤ１及び抵抗Ｒ１を並列に介した後、コマコイル１５を構成するＶＣＲコイル１５ｂ及びコマコイル１４を構成するＶＣＲコイル１４ｂを直列に介して、電源端子１８に接続されている。なお、上記ＹＨコイル１５ａの他端部は、図示極性のダイオードＤ２及び抵抗Ｒ２を並列に介して、上記ダイオードＤ１、抵抗Ｒ１及びＶＣＲコイル１５ｂの接続点に接続されている。
【００２２】
ここで、上記コマコイル１４は、図３（ａ）に示すように、磁性体２９に支持されたコイルボビン１９に、ＶＣＲコイル１４ｂを巻回した後、そのＶＣＲコイル１４ｂの上にＹＨコイル１４ａを巻回して構成されている。つまり、コマコイル１４は、ＶＣＲコイル１４ｂを下層とし、ＹＨコイル１４ａを上層として同心的に重なり合った構成となっている。なお、コマコイル１４としては、ＹＨコイル１４ａを下層とし、ＶＣＲコイル１４ｂを上層とするように構成してもよいものである。
【００２３】
また、上記コマコイル１５は、図３（ｂ）に示すように、磁性体３０に支持されたコイルボビン２０に、ＶＣＲコイル１５ｂを巻回した後、そのＶＣＲコイル１５ｂの上にＹＨコイル１５ａを巻回して構成されている。つまり、コマコイル１５は、ＶＣＲコイル１５ｂを下層とし、ＹＨコイル１５ａを上層として同心的に重なり合った構成となっている。なお、コマコイル１５としては、ＹＨコイル１５ａを下層とし、ＶＣＲコイル１５ｂを上層とするように構成してもよいものである。
【００２４】
上記のような構成において、垂直偏向コイル１３に垂直周期に同期した鋸歯状の偏向電流を流すべく、電源端子１７，１８間に所定の電圧を印加した場合、ＹＨコイル１４ａに流れる電流ｉ１は、図４に実線で示すような特性を有し、ＹＨコイル１５ａに流れる電流ｉ２は、図４に点線で示すような特性を有する。
【００２５】
すなわち、画面上部の偏向時には、画面の上部に位置するＹＨコイル１４ａに流れる電流ｉ１が、画面の下部に位置するＹＨコイル１５ａに流れる電流ｉ２よりも大きいので、この電流差分により、大きなピンクッション磁界が形成され、結果的に、Ｙ軸横方向ミスコンバージェンスＹＨを補正することができる。
【００２６】
また、画面下部の偏向時には、画面の下部に位置するＹＨコイル１５ａに流れる電流ｉ２が、画面の上部に位置するＹＨコイル１４ａに流れる電流ｉ１よりも実質的に大きくなるので、この電流差分により、大きなピンクッション磁界が形成され、結果的に、Ｙ軸横方向ミスコンバージェンスＹＨを補正することができる。
【００２７】
ところで、垂直帰線期間においては、パルス電圧の誘導により、各ＹＨコイル１４ａ，１５ａにそれぞれ逆電流が発生する。このため、画面上部の偏向時に、画面周縁部におけるＹＨコイル１４ａを流れる電流ｉ１とＹＨコイル１５ａを流れる電流ｉ２との差Ｉ１が、画面中央部におけるＹＨコイル１４ａを流れる電流ｉ１とＹＨコイル１５ａを流れる電流ｉ２との差Ｉ２に近くなるように縮んでしまう現象が発生する。
【００２８】
すると、図５に示すように、画面上端部において、電子ビームＢ，Ｒがそれぞれ左と右とに位置ずれを起こし、Ｙ軸横方向ミスコンバージェンスＹＨが発生することになる。そして、この傾向は画面全体に及んでしまい、画質を劣化させる原因となる。
【００２９】
そこで、画面の上部に位置するコマコイル１４を、巻線導体径がφＡで巻数がＮ１ターンのＹＨコイル１４ａと、巻線導体径がφＣで巻数がＮ３ターンのＶＣＲコイル１４ｂとで構成する。また、画面の下部に位置するコマコイル１５を、巻線導体径がφＢで巻数がＮ２ターンのＹＨコイル１５ａと、巻線導体径がφＣで巻数がＮ３ターンのＶＣＲコイル１５ｂとで構成する。
【００３０】
この場合、φＡ＞φＢ、Ｎ１＜Ｎ２となっている。つまり、ＹＨコイル１４ａの巻線導体径をＹＨコイル１５ａの巻線導体径よりも太くし、ＹＨコイル１４ａの巻数をＹＨコイル１５ａの巻数よりも少なくしている。
【００３１】
このような構成によれば、電源端子１７，１８間に所定の電圧が印加された場合、巻数の少ない上側ＹＨコイル１４ａに発生する誘導電流は減少し、このため、ＹＨコイル１４ａに流れる電流ｉ１は、図６に実線で示すような特性を有し、ＹＨコイル１５ａに流れる電流ｉ２は、図６に点線で示すような特性を有する。
【００３２】
すなわち、それぞれのＹＨコイル１４ａ，１５ａに発生する誘導電流が互いに打ち消し合い、ＹＨコイル１４ａ，１５ａに流れる電流ｉ１，ｉ２を、本来欲する偏向電流に整形することができる。
【００３３】
このように、それぞれのＹＨコイル１４ａ，１５ａに流れる電流ｉ１，ｉ２を整形した結果、図５に示したＹ軸横方向ミスコンバージェンスＹＨを補正することができ、画面全体に渡って良好なコンバージェンスを確保することが可能となる。
【００３４】
上記した実施の形態によれば、画面上側のＹＨコイル１４ａの巻線導体径を下側のＹＨコイル１５ａの巻線導体径よりも太くし、ＹＨコイル１４ａの巻数をＹＨコイル１５ａの巻数よりも少なくするという簡易な構成で、Ｙ軸横方向ミスコンバージェンスＹＨを実用上十分なレベルにまで補正することが可能となる。
【００３５】
なお、巻線導体径φＡ及びφＢと巻数Ｎ１及びＮ２に関しては、図５に示したＹ軸横方向ミスコンバージェンスＹＨを補正することができるように設定する他に、図７に示すように電子ビームＲとＢとがクロスするパターンのＹ軸横方向ミスコンバージェンスＹＨ、図８に示すＹ軸縦方向ミスコンバージェンスＶＣＲにも、注意をする必要がある。
【００３６】
すなわち、巻線導体径φＡとφＢとの差、及び、巻数Ｎ１とＮ２との差を大きくとれば、図５に示したＹ軸横方向ミスコンバージェンスＹＨは容易に補正することができるが、図７に示すＹ軸横方向ミスコンバージェンスＹＨや図８に示すＹ軸縦方向ミスコンバージェンスＶＣＲへの影響が大きくなるからである。
【００３７】
図９は、垂直偏向コイル１３及びコマコイル１４，１５の電気的接続状態の他の例を示している。図９において、図２と同一部分に同一符号を付し、異なる部分について説明すると、ＹＨコイル１４ａとダイオードＤ１及び抵抗Ｒ１の並列回路との位置を入れ替えるとともに、ＹＨコイル１５ａとダイオードＤ２及び抵抗Ｒ２の並列回路との位置を入れ替え、さらに、ＶＣＲコイル１４ｂ，１５ｂそれぞれの両端間電圧を、可変抵抗ＶＲによって調整可能としている。
【００３８】
このような構成によっても、ＹＨコイル１４ａの巻線導体径φＡ及び巻数Ｎ１と、ＹＨコイル１５ａの巻線導体径φＢ及び巻数Ｎ２とを適宜設定することにより、図５に示したＹ軸横方向ミスコンバージェンスＹＨを容易に補正することが可能となる。
【００３９】
なお、上述した実施の形態では、ＶＣＲコイル１４ｂ，１５ｂについて、それらの巻線導体径φＣ及び巻数Ｎ３を同一に設定したが、これは磁界の均一性を確保するためであって、図７及び図８に示したミスコンバージェンスによっては、ＶＣＲコイル１４ｂ，１５ｂの巻線導体径及び巻数を異ならせるようにしてもよいものである。
【００４０】
また、上記の実施の形態では、垂直偏向コイル１３が一対のコイル１３ａ，１３ｂを直列接続する構成となっているが、これらのコイル１３ａ，１３ｂは並列に接続されてもよいものである。ＶＣＲコイル１４ｂ，１５ｂも直列に接続されているが、並列に接続されてもよいものである。
【００４１】
さらに、図１では、垂直偏向コイル１３がコア１２に直接巻線されたトロイダル形垂直偏向コイルを示しているが、この発明は鞍形垂直偏向コイルの場合にも適用可能である。
【００４２】
図１０は、上記の偏向ヨーク部を使用したＣＲＴ（Cathode Ray Tube）を有するテレビジョン受信機の一例を示している。すなわち、アンテナ２１は、テレビジョン放送信号を受信してチューナ部２２に出力している。
【００４３】
このチューナ部２２は、入力されたテレビジョン放送信号から所望の放送チャンネルのテレビジョン信号を選局する。このチューナ部２２は、選局したテレビジョン信号を映像復調処理部２３と同期検出部２４とに供給している。
【００４４】
この映像復調処理部２３は、入力されたテレビジョン信号から映像成分を抽出し、復調処理を施した後、ドライブ部２５を介してＣＲＴ２６に出力している。また、同期検出部２４は、入力されたテレビジョン信号から水平及び垂直の各同期成分を抽出し、偏向電流生成部２７に出力している。この偏向電流生成部２７は、入力された水平及び垂直の各同期成分から、水平及び垂直の各偏向電流を生成し、ＣＲＴ２６の偏向ヨーク部２８に出力している。
【００４５】
そして、偏向電流生成部２７が出力した水平及び垂直の各偏向電流が、偏向ヨーク部２８の水平偏向コイル及び垂直偏向コイル１３にそれぞれ供給されることによって、ドライブ部２５から出力された映像信号がＣＲＴ２６に映像表示されるようになる。
【００４６】
この場合、上述したように、偏向ヨーク部２８はミスコンバージェンスを実用上十分なレベルにまで補正することが可能となるように構成されているので、ＣＲＴ２６における画質の向上を図ることができる。
【００４７】
なお、この発明は上記した実施の形態に限定されるものではなく、この外その要旨を逸脱しない範囲で種々変形して実施することができる。
【００４８】
【発明の効果】
以上詳述したようにこの発明によれば、簡易な構成でＹ軸横方向ミスコンバージェンスＹＨを実用上十分なレベルにまで補正することを可能とした偏向ヨーク装置を提供することができる。また、この発明によれば、上記した偏向ヨーク装置を用いて画質の向上を図るようにした表示装置及びその制御方法を提供することができる。
【図面の簡単な説明】
【図１】この発明の実施の形態を示すもので、偏向ヨーク部を説明するために示す外観図。
【図２】同実施の形態における垂直偏向コイル及びコマコイルの電気的接続状態の一例を説明するために示す回路構成図。
【図３】同実施の形態におけるコマコイルの詳細な巻線構造を説明するために示す側断面図。
【図４】画面上側のＹＨコイルと画面下側のＹＨコイルとに流れる誘導電流を説明するために示す特性図。
【図５】同誘導電流により画面上に生じるＹ軸横方向ミスコンバージェンスを説明するために示す図。
【図６】同実施の形態における画面上側のＹＨコイルと画面下側のＹＨコイルとに流れる電流を説明するために示す特性図。
【図７】電子ビームＲとＢとがクロスするパターンのＹ軸横方向ミスコンバージェンスを説明するために示す図。
【図８】電子ビームＲ，Ｂに対して電子ビームＧが縦方向に位置ずれを生じるＹ軸縦方向ミスコンバージェンスを説明するために示す図。
【図９】同実施の形態における垂直偏向コイル及びコマコイルの電気的接続状態の他の例を説明するために示す回路構成図。
【図１０】同実施の形態における偏向ヨーク部を使用したＣＲＴを有するテレビジョン受信機の一例を説明するために示すブロック構成図。
【符号の説明】
１１…セパレータ、
１２…コア、
１３…垂直偏向コイル、
１４，１５…コアコイル、
１６…端子板、
１７，１８…電源端子、
１９，２０…コイルボビン、
２１…アンテナ、
２２…チューナ部、
２３…映像復調処理部、
２４…同期検出部、
２５…ドライブ部、
２６…ＣＲＴ、
２７…偏向電流生成部、
２８…偏向ヨーク部
２９，３０…磁性体。
【図１】
2004200016.tif 000003
【図２】
2004200016.tif 000004
【図３】
2004200016.tif 000005
【図４】
2004200016.tif 000006
【図５】
2004200016.tif 000007
【図６】
2004200016.tif 000008
【図７】
2004200016.tif 000009
【図８】
2004200016.tif 000010
【図９】
2004200016.tif 000011
【図１０】
2004200016.tif 000012